(57)【特許請求の範囲】
【請求項１】
ドア枠の支持フレーム１０側に固定連結された第１支持ブラケット３１；ドア２０側に固定連結された第２支持ブラケット３２；及び第１支持ブラケット３１と第２支持ブラケット３２との間に相対的回転のために設けられるヒンジ部；を含んでなり、回転式ドアを構成するドア２０の一側面をドア枠の支持フレーム１０に回動自在に連結するドアヒンジ３０において、第１支持ブラケット３１に対する第２支持ブラケット３２の相対的な垂直位置を調節できるように提供されるドアヒンジの高さ調節装置３００であって、
ドア２０の底面に設けられるスライディングブロック３８０と；
ドアヒンジ３０を構成する第１支持ブラケット３１に対して相対的に回転する第２支持ブラケット３２及びそれに固定連結されたドア２０の回転軌跡に沿って平面的に分割された回転範囲に位置する前記スライディングブロック３８０をその下方でそれぞれ支持する第１支持坂３２１及び第２支持坂３２２と；
前記第１支持坂３２１と前記第２支持坂３２２とが平面上で隣接して配置されるように載置固定されるものであって、ドア２０が設けられる床面またはドア枠の支持フレーム１０に固設されるドア支持ブロック本体３１０と；
前記第１支持坂３２１及び前記第２支持坂３２２と前記ドア支持ブロック本体３１０との間に積層配置される多数の高さ調節薄板３３０と；を含んでなり、
前記第１支持坂３２１と前記ドア支持ブロック本体３１０との間に積層配置される第１高さ調節薄板３３０の枚数、及び前記第２支持坂３２２と前記ドア支持ブロック本体３１０との間に積層配置される第２高さ調節薄板３３０の枚数を調節して、ドア２０の回転軌跡に沿って平面的に分割された回転範囲に位置する前記スライディングブロック３８０が相異なる高さに位置する前記第１支持坂３２１と前記第２支持坂３２２とによって支持される高さを段階的に変更するように形成される回転式ドア用ドアヒンジの高さ調節装置。
【請求項２】
前記高さ調節薄板３３０は、ステンレス鋼板を含んでなり、その厚さは０．１ｍｍ〜０．２ｍｍの金属薄板で製造されることを特徴とする請求項１に記載の回転式ドア用ドアヒンジの高さ調節装置。
【請求項３】
前記スライディングブロック３８０が前記第１支持坂３２１と前記第２支持坂３２２との間の高低差のある境界部を円滑に摺動し通過できるように、前記第１支持坂３２１と前記第２支持坂３２２との境界部の上部角３２１ａ、３２２ａは角丸加工部になることを特徴とする請求項１に記載の回転式ドア用ドアヒンジの高さ調節装置。
【請求項４】
前記スライディングブロック３８０が前記第１支持坂３２１と前記第２支持坂３２２との間の高低差のある境界部を円滑に摺動し通過できるように、前記スライディングブロック３８０の底面角は角丸加工部になることを特徴とする請求項１に記載の回転式ドア用ドアヒンジの高さ調節装置。
【請求項５】
前記第１支持坂３２１及び前記第２支持坂３２２をドア支持ブロック本体３１０の上面に固定するため、前記第１支持坂３２１及び前記第２支持坂３２２に固定用締結孔３２１ｂ、３２２ｂが形成され、前記多数の高さ調節薄板３３０の対応する位置に貫通孔３３０ｂが形成され、前記固定用締結孔３２１ｂ、３２２ｂと前記貫通孔３３０ｂを貫通して締結ねじ３４１、３４２がドア支持ブロック本体３１０の上部締結孔３１０ｂに締結固定され、
前記締結ねじ３４１、３４２が前記ドア支持ブロック本体３１０の上部締結孔３１０ｂに締結固定された状態で、前記締結ねじ３４１、３４２のねじ頭は前記第１支持坂３２１及び前記第２支持坂３２２の上面より下側に位置するように形成されることを特徴とする請求項１に記載の回転式ドア用ドアヒンジの高さ調節装置。
【請求項６】
前記ドア支持ブロック本体３１０の一側に、ドア枠の支持フレーム１０を構成する下端フレーム１０ｄに固設されるための固定フランジ３１１が設けられることを特徴とする請求項１に記載の回転式ドア用ドアヒンジの高さ調節装置。
【請求項７】
前記ドア支持ブロック本体３１０の底面に、ドアが取り付けられる床面と下端フレーム１０ｄとの相対的な高低差を補正するための取付高さ調整用追加ブロック３１２が設けられることを特徴とする請求項６に記載の回転式ドア用ドアヒンジの高さ調節装置。
【請求項８】
前記ドア支持ブロック本体３１０の底面は、ドアが取り付けられる床面の骨組みに埋設されたアンカー３１８に溶接固定されることを特徴とする請求項６に記載の回転式ドア用ドアヒンジの高さ調節装置。
【請求項９】
前記ドアヒンジ３０の第１支持ブラケット３１と第２支持ブラケット３２との間に相対的回転のために設けられる前記ヒンジ部がギアヒンジ部として提供され、
第１支持ブラケット３１と第２支持ブラケット３２との対向面には縦方向に互いに歯合するようにそれぞれ形成されるギア部３１ａ、３２ａと；
第１支持ブラケット３１と第２支持ブラケット３２のギア部３１ａ、３２ａが互いに歯合した状態を維持しながら、その歯合するギアの歯が変わりながら第１支持ブラケット３１と第２支持ブラケット３２とが折畳回動できるように、第１支持ブラケット３１と第２支持ブラケット３２との間でギア部３１ａ、３２ａを後方で支持する回動支持フレーム３３と；
前記回動支持フレーム３３の両端から折り曲げられて提供されるヒンジ軸突出部３３ａが回転自在に嵌合されるように、第１支持ブラケット３１と第２支持ブラケット３２の前記ギア部３１ａ、３２ａの反対側に形成される回転軸支持ポケット３１ｂ、３２ｂと；を含んでなり、
第１支持ブラケット３１と第２支持ブラケット３２は、それぞれ回転軸支持ポケット３１ｂ、３２ｂに収容された回動支持フレーム３３両端のヒンジ軸突出部３３ａを中心に相互連動して軸回転するように提供され、第１支持ブラケット３１と第２支持ブラケット３２の外側面に形成された回転軸支持ポケット３１ｂ、３２ｂに回動支持フレーム３３両端の折曲部の外側角部が収容されながら回転が遮断されるように提供されることを特徴とする請求項１ないし請求項８のうちいずれか１項に記載の回転式ドア用ドアヒンジの高さ調節装置。
【発明の詳細な説明】
【発明の詳細な説明】
【０００１】
〔技術分野〕
本発明は、回転式ドアを構成するドアとドア枠の支持フレームとの間を連結するドアヒンジにおいて、ドア枠の支持フレーム側に固定連結された第１支持ブラケットとドア側に固定連結された第２支持ブラケットとの間の相対的な垂直位置を調節できる装置に関する。より詳しくは、第１支持ブラケットと第２支持ブラケットとの間にヒンジ部が提供されるドアヒンジにおいて、ドア施工時に生じる施工誤差やドアの荷重による第２支持ブラケットの沈みなどの要因によってヒンジ部で生じ得る垂直変位を補正することで、ドアの正確な開閉性能を確保し維持できるだけでなく、ドアヒンジで生じる摩擦による部品損傷や摩擦騒音の発生を最小化できる回転式ドア用ドアヒンジの相対的高さ調節装置に関する。
【０００２】
〔背景技術〕
一般に、回転式ドアは、ドアが取り付けられるドア枠の支持フレーム内にドアの一側面を固定設置し、該固定設置面内に回転軸を備えたドアヒンジ部を取り付けてドアを水平回転させることで、ドアを開閉自在にする構造を有している。
【０００３】
このようなドアヒンジ部としては、多様な形態と構造の製品が開発され使用されている。最も一般に使用されるピン型のヒンジ棒を用いたヒンジ部の場合、ヒンジ棒を支持するヒンジフレームが変形せず、ヒンジフレームをドアまたはドア枠の支持フレームに固定連結する固定手段の剛性が十分であれば、ドアの垂直荷重による垂直変位は普通生じない。しかし、ドアの上端と下端との間に生じる垂直面上の回転モーメントに抵抗する剛性が弱く、ドアを大型化する場合には、ヒンジ（蝶番）部の大きさと剛性及びその固定手段（アンカー）の大きさと剛性も一緒に増加しなければならないため、ドアを大型化し難いという問題がある。さらに、ドアは大型化しながらもドアの断面規格（または、ドアを構成するガラス窓を支持するドアフレームの断面規格）は最小化してスリムにしようとする需要者層のニーズに応えることと、固定手段（アンカー）の大きさを増加させることとは相反する課題であるため、解決し難いという限界がある。
【０００４】
このようなピン型のヒンジ棒を用いた一般的なヒンジ部と異なる構造として、図１ないし図１２に示されたように、ドアの大型化傾向に合わせてドアの垂直面上でドアの上端と下端との間に生じる回転モーメントを最小化できる構造体としてのギアヒンジ部（ギア蝶番部）が開発され使用されている。
【０００５】
まず、本発明に対する理解を助けるため、このようなギアヒンジ部の詳細な構成とそれを使用した回転式ドアの使用例を説明する。
【０００６】
図１ないし図３に示された回転式ドア１００Ｕは、ドア枠のドア支持フレーム１０の一側の垂直フレームにギアヒンジ部３０を構成する第１支持ブラケット３１がねじ３０ａによって固定連結され、ギアヒンジ部３０を構成する第２支持ブラケット３２がドア２０の一側面にねじ３０ａによって固定連結され、第１支持ブラケット３１と第２支持ブラケット３２との対向面には縦方向にそれぞれ形成されるギア部３１ａ、３２ａが互いに歯合するように提供され、第１支持ブラケット３１と第２支持ブラケット３２とのギア部３１ａ、３２ａが互いに歯合した状態を維持しながら、その歯合するギアの歯が変わりながら第１支持ブラケット３１と第２支持ブラケット３２とが折畳回動できるように、第１支持ブラケット３１と第２支持ブラケット３２との間でギア部３１ａ、３２ａを後方で支持する回動支持フレーム３３（図３を参照）が提供される。
【０００７】
一方、ギアヒンジ部３０は、図４ないし図７に示されたように、円滑な回動作用と回転モーメントに対する高い抵抗力を提供する平面回動構造を有している。図４に示されたように、第１支持ブラケット３１と第２支持ブラケット３２の一端部に設けられて互いに歯合するギア部３１ａ、３２ａの反対側に形成される回転軸支持ポケット３１ｂ、３２ｂには、回動支持フレーム３３の両端から折り曲げられて形成されるヒンジ軸突出部３３ａが回転自在に嵌合される。また、図５及び図６に示されたように、第１支持ブラケット３１と第２支持ブラケット３２はそれぞれ回動支持フレーム３３両端のヒンジ軸突出部３３ａを中心に相互連動して軸回転するが、例えば第１支持ブラケット３１がドア枠の支持フレーム１０側に固定され、第２支持ブラケット３２がドア２０側に固定される場合であれば、図５ないし図７に示されたように、第２支持ブラケット３２が固定された第１支持ブラケット３１に対して相対的に回転するようになる。
【０００８】
また、このような第２支持ブラケット３２の軸回転の限界は、図７に示されたように、外側に回動する第１支持ブラケット３１と第２支持ブラケット３２の外側面に形成された回転軸支持ポケット３１ｂ、３２ｂに、回動支持フレーム３３両端の折曲部の外側角部が収容されながら、それ以上の過度な回転が遮断される構造を有している。
【０００９】
図４ないし図７に示された構造の場合、第１支持ブラケット３１に対して第２支持ブラケット３２が約１８０°回転可能な構造を例示している。
【００１０】
このように回動され折り畳まれる第１支持ブラケット３１と第２支持ブラケット３２との両側に縦方向に形成されるギア部３１ａ、３２ａ、及び該ギア部３１ａ、３２ａの歯合回動を支持する回動支持フレーム３３は、図８に示されたように、水平面上における第１支持ブラケット３１と第２支持ブラケット３２との間の円滑な回動を提供しながら、縦方向に長く形成されたギアの歯が互いに歯合している構造を提供するため、ドア２０が大型化してドアの垂直面上でドアの上端と下端との間に生じる回転モーメントが増加しても十分対抗でき、それによってドアの取付方向や位置に捩れが生じる可能性を最小化できる構造的な安定性を提供する。
【００１１】
一方、両側に縦方向に形成されるギア部３１ａ、３２ａによって互いに歯合した状態で回転する第１支持ブラケット３１と第２支持ブラケット３２は、図９に示されたように、ドア２０側に固定連結された第２支持ブラケット３２がドア枠の支持フレーム１０側に固定連結された第１支持ブラケット３１に対して縦方向に変位可能な断面構造を有する。そのため、それを防止しようとして、図１０及び図１１に示されたように、第１支持ブラケット３１と第２支持ブラケット３２とに互いに対向する開口部３１ｃ、３２ｃを形成する。そして、図１０及び図１１に示されたように、対向する開口部３１ｃ、３２ｃに共通して嵌め込まれる垂直係止具３４を挿入し、それを締結具３５によって回動支持フレーム３３の内側面に固定する。このような係止具３４の一端は回動支持フレーム３３の内側空間部と形状がマッチングし、収容されて一体的なギアヒンジ部３０を形成する。
【００１２】
第１支持ブラケット３１と第２支持ブラケット３２との間で生じる縦方向の変位を抑制し、垂直荷重を支持するために提供される垂直係止具３４の上面及び下面は、ドアが回動開閉するとき、第１支持ブラケット３１と第２支持ブラケット３２のギア部３１ａ、３２ａで開口部３１ｃ、３２ｃが形成された部分の断面と摩擦してこれらを支持する。したがって、一般にアルミニウム合金素材などの金属材料で製造される第１支持ブラケット３１と第２支持ブラケット３２とは違って、摩擦騒音を防止でき、摩擦係数の低い合成樹脂材料で製造される。
【００１３】
しかし、大型化したドア２０を、上述したギアヒンジ部３０を介してドア枠の支持フレーム１０に取り付けて使用する実際の状況では、図１２に示されたように、ドア２０の荷重Ｗによってドア２０側に固定連結された第２支持ブラケット３２に引き起こされる下方変位は垂直係止具３４との接触断面における摩擦力を増加させ、ドアの回動開閉時に摩擦騒音が過度に発生するようになる。このような大型化したドアで生じる摩擦騒音は、上述した材料的な解決策だけでは回避し難い。
【００１４】
勿論、油圧装置などを用いた公知の様々な形態のリフティング装置で第２支持ブラケット３２が固定されたドア２０を持ち上げることで、第２支持ブラケット３２に上方変位を与え、垂直係止具３４との接触断面での摩擦力を減少させることもできるが、リフティング装置で０．１ｍｍ〜０．５ｍｍ程度の微細な高さを調整することはほぼ不可能であるだけでなく、実現するためには多大なコストを要するという問題点がある。
【００１５】
以上、回転式ドア用ドアヒンジに関する従来技術の問題点を説明しながらギアヒンジ部を使用した例を中心に説明したが、回転式ドア用ドアヒンジ部を構成する部品の間で垂直方向の変位または離隔が生じ得る構造を有するものであれば、ヒンジ部の具体的な構成が異なっても、ギアヒンジ部が抱えている技術的な問題と実質的に同じ問題を有すると言える。
【００１６】
〔発明の概要〕
〔発明が解決しようとする課題〕
本発明は、上記問題点に鑑みてなされたものであり、回転式ドアを構成するドアの荷重によってドアヒンジ部を構成する部品の間で垂直方向の変位または離隔が発生しても、それを適切に調整することができる簡単な装置を提供することを目的とする。
【００１７】
特に、ドア側に固定連結されて回転式ドアのギアヒンジ部を構成する第２支持ブラケットに下方変位が生じ、垂直係止具との接触断面での摩擦騒音が増加する場合、その摩擦程度を低減できるように、第２支持ブラケット側に微細な大きさの垂直上方変位を段階的に導入することができる装置を提供する。
【００１８】
〔課題を解決するための手段〕
上記の課題を達成するため、本発明によれば、ドア枠の支持フレーム側に固定連結された第１支持ブラケット；ドア側に固定連結された第２支持ブラケット；及び第１支持ブラケットと第２支持ブラケットとの間に相対的回転のために設けられるヒンジ部；を含んでなり、回転式ドアを構成するドアの一側面をドア枠の支持フレームに回動自在に連結するドアヒンジにおいて、第１支持ブラケットに対する第２支持ブラケットの相対的な垂直位置を調節できるように提供されるドアヒンジの高さ調節装置であって、
ドアの底面に設けられるスライディングブロックと；
ドアヒンジを構成する第１支持ブラケットに対して相対的に回転する第２支持ブラケット及びそれに固定連結されたドアの回転軌跡に沿って平面的に分割された回転範囲に位置する前記スライディングブロックをその下方でそれぞれ支持する第１支持坂及び第２支持坂と；
前記第１支持坂と前記第２支持坂とが平面上で隣接して配置されるように載置固定されるものであって、ドアが取り付けられる床面またはドア枠の支持フレームに固設されるドア支持ブロック本体と；
前記第１支持坂及び前記第２支持坂と前記ドア支持ブロック本体との間に積層配置される多数の高さ調節薄板と；を含んでなり、
前記第１支持坂と前記ドア支持ブロック本体との間に積層配置される第１高さ調節薄板の枚数、及び前記第２支持坂と前記ドア支持ブロック本体との間に積層配置される第２高さ調節薄板の枚数を調節して、ドアの回転軌跡に沿って平面的に分割された回転範囲に位置する前記スライディングブロックが相異なる高さに位置する前記第１支持坂と前記第２支持坂とによって支持される高さを段階的に変更するように形成される回転式ドア用ドアヒンジの高さ調節装置を提供する。
【００１９】
ここで、前記高さ調節薄板は、ステンレス鋼板を含む金属薄板材料からなり、その厚さは０．１ｍｍ〜０．２ｍｍ程度の薄板に加工して使用することができる。したがって、その積層枚数によって０．１ｍｍ〜１ｍｍ程度の総高さ範囲を０．１ｍｍ〜０．２ｍｍの細かい高さ変化段階に分けて精密に調節することができる。
【００２０】
また、前記スライディングブロックが前記第１支持坂と前記第２支持坂と間の高低差のある境界部を円滑に摺動し通過できるように、前記第１支持坂と前記第２支持坂との境界部の角または前記スライディングブロックの底面の角部は角丸加工部になることがより望ましい。
【００２１】
〔発明の効果〕
本発明による回転式ドア用ドアヒンジの高さ調節装置は、次のような効果を奏することができる。
【００２２】
本発明の基本的な構成によれば、回転式ドアを構成するドアの荷重によって、ドアヒンジ部を構成する部品のうち第１支持ブラケットと第２支持ブラケットとの間で垂直方向の変位または離隔が生じても、それを簡単な装置によって適切に微細調整することができ、それによって第１支持ブラケットに対して相対的に回転する第２支持ブラケットとヒンジ部を構成する他の部品との摩擦を最小化することができる。
【００２３】
特に、ギアヒンジ部の場合は、ドア及び第２支持ブラケットの相対的な高さを微細に調節することで垂直係止具で生じる摩擦騒音を最小化することができ、ドアの大型化による騒音発生の問題を緩和させることができる。
【００２４】
〔図面の簡単な説明〕
図１は、回転式ドアを取り付けた状態を示した斜視図であって、上端の角部分を拡大した図である。
【００２５】
図２は、回転式ドアを取り付けた状態を示した斜視図であって、下端の角部分を拡大した図である。
【００２６】
図３は、図１及び図２の回転式ドアのドアヒンジを構成するギアヒンジ部を分離して示した分解斜視図である。
【００２７】
図４ないし図７は、図３に示されたギアヒンジ部の作動状態を示した断面図であって、図４はドアに連結される第２支持ブラケットが折り畳まれた状態、図７はドアが全開放されるように第２支持ブラケットが回転した状態を示している。
【００２８】
図８は、ギアヒンジ部の第１支持ブラケットと第２支持ブラケットとの間の回動角度変化に伴うギア部の歯合状態の変化を示した図である。
【００２９】
図９は、ギアヒンジ部の第１支持ブラケットと第２支持ブラケットとの間に垂直方向（縦方向）の相対変位が生じた状態を示した図である。
【００３０】
図１０は、ギアヒンジ部の後面の分解斜視図である。
【００３１】
図１１は、図１０の要部Ｋにおける垂直係止具の組立て状態を前面から示した組立図である。
【００３２】
図１２は、図１０のギアヒンジ部において、第１支持ブラケットと第２支持ブラケットとの間の回動角度の変化に伴ってギア部の歯合状態が変化した状態を示した図である。
【００３３】
図１３は、本発明による回転式ドア用ドアヒンジの高さ調節装置を回転式ドアに取り付けた状態を示した図である。
【００３４】
図１４は、本発明による回転式ドア用ドアヒンジの高さ調節装置の望ましい一実施例を示した図である。
【００３５】
図１５は、図１４に示された回転式ドア用ドアヒンジの高さ調節装置の一実施例の一部分解斜視図である。
【００３６】
図１６は、図１５から高さ調節薄板の枚数を１枚増加させた状態を示した図である。
【００３７】
図１７及び図１８は、回転式ドアが取り付けられた状態の平面図及びドアの開放作動状態を示した断面図である。
【００３８】
図１９は、本発明の望ましい一実施例によるドアヒンジの高さ調節装置が取り付けられた状態の回転式ドアの作動状態を示した断面図である。
【００３９】
図２０は、図１９の要部Ａ部分の拡大図である。
【００４０】
図２１ないし図２８は、本発明の望ましい一実施例によるドアヒンジの高さ調節装置を使用して回転式ドアを構成するドアの高さを調節する状態を示した図である。
【００４１】
〔発明を実施するための形態〕
以下、添付した図面を参照して本発明の望ましい実施例について、本発明が属する技術分野で通常の知識を持つ者が容易に実施できるように詳しく説明する。ただし、本発明は様々な相異なる形態で具現でき、ここで説明される実施例によって限定されないことを理解せねばならない。
【００４２】
図１３は本発明による回転式ドア用ドアヒンジの高さ調節装置を回転式ドアに取り付けた状態を示した図であり、図１４は本発明による回転式ドア用ドアヒンジの高さ調節装置の望ましい一実施例を示した図であり、図１５は図１４に示された回転式ドア用ドアヒンジの高さ調節装置の一実施例の一部分解斜視図であり、図１６は図１５から高さ調節薄板の枚数を１枚増加させた状態を示した図である。
【００４３】
まず、本発明による回転式ドア用ドアヒンジの高さ調節装置の望ましい一実施例を図面を参照して説明する。
【００４４】
図１３ないし図１６に示されたように、本発明の望ましい一実施例によれば、ドア枠の支持フレーム１０側に固定連結された第１支持ブラケット３１；ドア２０側に固定連結された第２支持ブラケット３２；及び第１支持ブラケット３１と第２支持ブラケット３２との間に相対的回転のために設けられるヒンジ部；を含んでなり、回転式ドアを構成するドア２０の一側面をドア枠の支持フレーム１０に回動自在に連結するドアヒンジ３０において、第１支持ブラケット３１に対する第２支持ブラケット３２の相対的な垂直位置を調節できるようにドアヒンジの高さ調節装置３００が提供される。
【００４５】
このようなドアヒンジの高さ調節装置３００は、図１３に示されたように、ドア２０の底面に取り付けられるスライディングブロック３８０；図１４及び図１５に示されたように、ドアヒンジ３０を構成する第１支持ブラケット３１に対して相対的に回転する第２支持ブラケット３２及びそれに固定連結されたドア２０の回転軌跡に沿って平面的に分割された回転範囲に位置する前記スライディングブロック３８０をその下方でそれぞれ支持する第１支持坂３２１及び第２支持坂３２２；前記第１支持坂３２１と前記第２支持坂３２２とが平面上で隣接して配置されるように載置固定されるものであって、ドア２０が取り付けられる床面またはドア枠の支持フレーム１０に固設されるドア支持ブロック本体３１０；そして前記第１支持坂３２１及び前記第２支持坂３２２と前記ドア支持ブロック本体３１０との間に積層配置される多数の高さ調節薄板３３０；を含んでなる。
【００４６】
ここで、前記ドア支持ブロック本体３１０は、図示されたように、角を４５゜に分割した２つの分割平面上に第１支持坂３２１及び第２支持坂３２２を備えるように形成されることが望ましい。
【００４７】
そして、図１５と比べて図１６に示されたように、前記第１支持坂３２１と前記ドア支持ブロック本体３１０との間に積層配置される第１高さ調節薄板３３０の枚数（図１５では１枚：図１６では２枚）、及び前記第２支持坂３２２と前記ドア支持ブロック本体３１０との間に積層配置される第２高さ調節薄板３３０の枚数を調節して、ドア２０の回転軌跡に沿って平面的に分割された回転範囲に位置する前記スライディングブロック３８０が、相異なる高さに位置する前記第１支持坂３２１と前記第２支持坂３２２とによって支持される高さを段階的に変更するように形成される。ここで、スライディングブロック３８０が支持される高さがドアヒンジの高さ調節装置３００によって段階的に変更される具体的な作動過程は、図１９ないし図２８を参照して後述する。
【００４８】
本発明の望ましい実施例によれば、前記高さ調節薄板３３０は、厚さ０．１ｍｍないし０．２ｍｍのステンレス鋼板で製造されることが精密且つ微細な高さ調節の面で望ましい。また、前記第１支持坂３２１と前記第２支持坂３２２との間に高低差のある境界部が形成されるとき、それを通過する前記スライディングブロック３８０が円滑に摺動できるように、前記第１支持坂３２１と前記第２支持坂３２２との境界部の上部角３２１ａ、３２２ａは角丸加工部になることがより望ましい。
【００４９】
勿論、前記第１支持坂３２１と前記第２支持坂３２２との間の高低差のある境界部を通過する前記スライディングブロック３８０が円滑に摺動できるように、前記スライディングブロック３８０の底面角が角丸加工部になることもできる。
【００５０】
上述した角丸加工部に代わって、単なる傾斜面を導入することもでき、これが本発明の観点から前記角丸加工部と等価物として解釈されることは言うまでもない。
【００５１】
一方、前記第１支持坂３２１及び前記第２支持坂３２２をドア支持ブロック本体３１０の上面に固定するため、前記第１支持坂３２１及び前記第２支持坂３２２に固定用締結孔３２１ｂ、３２２ｂが形成され、前記多数の高さ調節薄板３３０の対応する位置に貫通孔３３０ｂが形成され、前記固定用締結孔３２１ｂ、３２２ｂと前記貫通孔３３０ｂを貫通して締結ねじ３４１、３４２がドア支持ブロック本体３１０の上部締結孔３１０ｂに締結固定される。
【００５２】
また、前記締結ねじ３４１、３４２が前記ドア支持ブロック本体３１０の上部締結孔３１０ｂに締結固定された状態で、前記締結ねじ３４１、３４２のねじ頭は前記第１支持坂３２１及び前記第２支持坂３２２の上面より下側に位置するように形成する必要がある。
【００５３】
このようなドア支持ブロック本体３１０の固定位置を確保するため、前記ドア支持ブロック本体３１０の一側にはドア枠の支持フレーム１０を構成する下端フレーム１０ｄに固設するための固定フランジ３１１が設けられることが望ましく、該固定フランジ３１１に形成された締結孔３１１ａを通って締結される締結ねじ３１５がドア枠の支持フレーム１０を構成する下端フレーム１０ｄの上面に固定される。
【００５４】
一方、ドア支持ブロック本体３１０の中心部に横方向で他の締結孔３１４を設け、それを貫通する締結ねじ３１６（図２２などを参照）を、ドア枠の支持フレーム１０を構成する下端フレーム１０ｄの側面に固定することで、より確実な固定位置を確保できるようにする。
【００５５】
さらに、本発明のより望ましい実施例によれば、前記ドア支持ブロック本体３１０の底面に、ドアが取り付けられる床面と下端フレーム１０ｄとの相対的な高低差を補正するための取付高さ調整用追加ブロック３１２を設けることができる。また、ドア荷重によってドア支持ブロック本体３１０が沈むことを防止するため、ドアが取り付けられる床面の骨組みに埋設されたアンカー３１８（図２２などを参照）にドア支持ブロック本体３１０の底面を溶接固定することもできる。
【００５６】
以下、図１３ないし図１６を参照しながら上述したドアヒンジの高さ調節装置３００が使用される回転式ドアの構成について、図１７及び図１８を参照して説明する。
【００５７】
図１７は、回転式ドアの一例を示した図であり、回転式ドアを構成するドアハンドル２０ｈを備えたドア２０、及びその一側面をドア枠の支持フレーム１０に回動自在に連結するドアヒンジ３０を備える。このようなドアヒンジ３０は、ドア枠の支持フレーム１０側に固定連結された第１支持ブラケット３１；ドア２０側に固定連結された第２支持ブラケット３２；及び第１支持ブラケット３１と第２支持ブラケット３２との間に相対的回転のために設けられるヒンジ部を含んでなる。ここで、図１７に部材番号３３で示された部分が第１支持ブラケット３１と第２支持ブラケット３２との間に相対的回転のために設けられるヒンジ部に該当し、本発明が適用される回転式ドアがドアヒンジ３０として図１ないし図１２に示したギアヒンジ部を備える場合には、部材番号３３に回動支持フレーム３３及びそれに支持されるギア部３１ａ、３２ａの構成などが含まれることを理解できる。
【００５８】
より具体的に見れば、前記ヒンジ部がギアヒンジ部として提供される場合は、第１支持ブラケット３１と第２支持ブラケット３２との対向面には縦方向に互いに歯合するようにそれぞれ形成されるギア部３１ａ、３２ａ；第１支持ブラケット３１と第２支持ブラケット３２のギア部３１ａ、３２ａが互いに歯合した状態を維持しながら、その歯合するギアの歯が変わりながら第１支持ブラケット３１と第２支持ブラケット３２とが折畳回動できるように、第１支持ブラケット３１と第２支持ブラケット３２との間でギア部３１ａ、３２ａを後方で支持する回動支持フレーム３３；及び前記回動支持フレーム３３の両端から折り曲げられて提供されるヒンジ軸突出部３３ａが回転自在に嵌合されるように、第１支持ブラケット３１と第２支持ブラケット３２の前記ギア部３１ａ、３２ａの反対側に形成される回転軸支持ポケット３１ｂ、３２ｂ；を含んでなる。
【００５９】
そして、第１支持ブラケット３１と第２支持ブラケット３２は、それぞれ回転軸支持ポケット３１ｂ、３２ｂに収容された回動支持フレーム３３両端のヒンジ軸突出部３３ａを中心に相互連動して軸回転するように提供され、第１支持ブラケット３１と第２支持ブラケット３２の外側面に形成された回転軸支持ポケット３１ｂ、３２ｂに回動支持フレーム３３両端の折曲部の外側角部が収容されながらそれ以上の回転が遮断される構造を有する。
【００６０】
以下、図面において部材番号３３で示された部分は、ドアヒンジ部を構成する部品間の垂直方向の変位または離隔が生じ得る構造を有するものであれば、そのヒンジ部の具体的な構成が異なっても、上述したギアヒンジ部と均等なものを含んで称すると理解することができる。
【００６１】
図１８には、ドアヒンジ部３０で行われる第１支持ブラケット３１に対する第２支持ブラケット３２の回動作動によってドア２０が開閉される作動状態が示されている。ドア２０が閉まっている（Ａ）状態と違って、ドア２０が一部開放された（Ｂ）状態ではドア枠の支持フレーム１０の下端フレーム１０ｄも示されている。
【００６２】
このような構成を有する回転式ドアに本発明の望ましい実施例によるドアヒンジの高さ調節装置３００を取り付ければ、図１９及び図２０に示されたように、ドア２０の底面に取り付けられるスライディングブロック３８０が、ドアヒンジ３０を構成する第１支持ブラケット３１に対して相対的に回転する第２支持ブラケット３２と共に回転するドア２０の底面でドア２０の回転軌跡に沿って平面的に分割された第１支持坂３２１と第２支持坂３２２との間で支持されながら摺動するようになる。
【００６３】
図２０において、点線で示したスライディングブロック３８０の位置はドア２０が閉まっている状態（図１８の（Ａ）状態）、一点鎖線で示したスライディングブロック３８０の位置はドア２０が９０゜ほど開放された状態（図１８の（Ｂ）状態）、実線で示したスライディングブロック３８０の位置はドア２０が１８０゜全開放された状態を示している。これによれば、ドア２０が１８０゜全開放された状態ではスライディングブロック３８０が第２支持坂３２２の上面に載せられ、ドア２０が閉まった状態ではスライディングブロック３８０が第１支持坂３２１の上面に載せられ、そしてドア２０が９０゜ほど開放された状態では第１支持坂３２１と第２支持坂３２２との境界部に位置することが分かる。
【００６４】
このような状況で、前記第１支持坂３２１及び前記第２支持坂３２２とこれらを全体的に支持するドア支持ブロック本体３１０との間に積層配置される高さ調節薄板３３０の枚数が異なれば、その上部の第１支持坂３２１及び第２支持坂３２２の高さが変化し、それによってその上面に沿って摺動するスライディングブロック３８０が支持される面の高さも高さ調節薄板３３０の厚さほど変化し、結局ドア２０はドアヒンジ３０を中心にした回動作用をしながらドアヒンジを構成する部品間の垂直方向の移動変位を生じさせることができ、それを通じて微細な間隔調整が可能になる。
【００６５】
図１９及び図２０は平断面図であり、これらからは具体的な高さ調節作動状態を確認し難いため、図２０のａ−ａ線断面による作動状態断面図を図２１ないし図２８に示した。
【００６６】
図２１は図２０に点線で示したドア２０が閉まっている状態を示し、図２２は図２１のＢ１部分を拡大して示している。
【００６７】
図２１及び図２２によれば、第１支持坂３２１下側の高さ調節薄板３３０は図２２に３３０−１及び３３０−２で示した２枚であり、第２支持坂３２２下側の第２高さ調節薄板３３０は図２２に３３０−１、３３０−２及び３３０−３で示した３枚である状態である。したがって、第２支持坂３２２の高さが第１支持坂３２１の高さより高さ調節薄板３３０−３の厚さほど高く、現在スライディングブロック３８０は第１支持坂３２１上に位置している。これは、ドア２０が閉まった状態で第２支持坂３２２をドア支持ブロック本体３１０に固定する締結ねじ３４２を外して分離した後、第２支持坂３２２とドア支持ブロック本体３１０との間に配置される第２高さ調節薄板３３０の枚数を１枚（図面には１枚で例示されているが、これに制限されない）付け加えることで達成される状態である。
【００６８】
このような状況で、ドア２０をドアヒンジ部３０を介して１８０゜回動させて開放すれば、図２３及び図２４（図２３のＢ２部分の拡大図）に示された状態に到達するが、これは図２０に実線で示されたスライディングブロック３８０の位置に対応する状態である。
【００６９】
図２３及び図２４（図２３のＢ２部分の拡大図）によれば、スライディングブロック３８０が以前に位置していた第１支持坂３２１より高さ調節薄板３３０−３の厚さほど高い第２支持坂３２２の上面に上昇して位置するようになり、それによってドア２０の垂直高さ、及び回動ヒンジ部３０を構成する第２支持ブラケット３２の第１支持ブラケット３１に対する相対的な垂直高さも高さ調節薄板３３０−３の厚さ（例えば、０．１ｍｍ）ほど上昇する。
【００７０】
このような状態で、第１支持坂３２１をドア支持ブロック本体３１０に固定する締結ねじ３４１を外して分離した後、第１支持坂３２１とドア支持ブロック本体３１０との間に配置される高さ調節薄板３３０の枚数を１枚（図面には１枚で例示されているが、これに制限されない）付け加え、第２支持坂３２２と同じ高さに合わせることで、図２５及び図２６（図２５のＢ３部分の拡大図）に示されたような正常なドア取付状態を回復することができ、このような状態でドア２０を閉めれば、図２７及び図２８（図２７のＢ４部分の拡大図）に示されたように、スライディングブロック３８０が第２支持坂３２２と第１支持坂３２１とが形成する水平面に沿って摺動するようになる。
【００７１】
図２１ないし図２８は１段階の高さ調整過程を説明したものであり、これを数段階にわたって繰り返して行うことで適切な高さへの微細な調整が可能になる。
【００７２】
一方、図２３及び図２４の状態から図２５及び図２６に示された平面状態に切換せず、第１支持坂３２１とドア支持ブロック本体３１０との間に配置される第１高さ調節薄板３３０の枚数を２枚付け加えることで、第１支持坂３２１を第２支持坂３２２より高くすることもできる。この場合には、ドア２０を閉める場合にもスライディングブロック３８０の上昇移動作用が引き起こされるようになる。
【００７３】
以上の作動過程を経て、本発明による回転式ドア用ドアヒンジの高さ調節装置３００は、第１支持坂３２１とドア支持ブロック本体３１０との間に積層配置される第１高さ調節薄板３３０の枚数、及び第２支持坂３２２とドア支持ブロック本体３１０との間に積層配置される第２高さ調節薄板３３０の枚数を調節して、ドア２０の回転軌跡に沿って平面的に分割された回転範囲に位置する前記スライディングブロック３８０が相異なる高さに位置する前記第１支持坂３２１と前記第２支持坂３２２とによって支持される高さを段階的に変更することで、ドアヒンジ部を構成する部品の間で求められる相対的な垂直変位を誘導することができる。
【００７４】
一方、ドア２０の下部に取り付けられるスライディングブロック３８０は、図示されたように別個の部品として形成されて底面に取り付けられることだけでなく、ドア２０の底面と一体的に形成されることもでき、本発明がこのような構造も含むことを当業者であれば理解できるであろう。
【００７５】
以上、本発明の望ましい実施例について詳細に説明したが、本発明の権利範囲はこれに限定されるものではなく、特許請求の範囲に示された本発明の基本概念を用いた当業者の多くの変形及び改良形態も本発明の権利範囲に属することは言うまでもない。
【図面の簡単な説明】
【００７６】
【図１】回転式ドアを取り付けた状態を示した斜視図であって、上端の角部分を拡大した図である。
【図２】回転式ドアを取り付けた状態を示した斜視図であって、下端の角部分を拡大した図である。
【図３】図１及び図２の回転式ドアのドアヒンジを構成するギアヒンジ部を分離して示した分解斜視図である。
【図４】図３に示されたギアヒンジ部の作動状態を示した断面図であって、ドアに連結される第２支持ブラケットが折り畳まれた状態を示している。
【図５】図３に示されたギアヒンジ部の作動状態を示した断面図である。
【図６】図３に示されたギアヒンジ部の作動状態を示した断面図である。
【図７】図３に示されたギアヒンジ部の作動状態を示した断面図であって、ドアが全開放されるように第２支持ブラケットが回転した状態を示している。
【図８】ギアヒンジ部の第１支持ブラケットと第２支持ブラケットとの間の回動角度変化に伴うギア部の歯合状態の変化を示した図である。
【図９】ギアヒンジ部の第１支持ブラケットと第２支持ブラケットとの間に垂直方向（縦方向）の相対変位が生じた状態を示した図である。
【図１０】ギアヒンジ部の後面の分解斜視図である。
【図１１】図１０の要部Ｋにおける垂直係止具の組立て状態を前面から示した組立図である。
【図１２】図１０のギアヒンジ部において、第１支持ブラケットと第２支持ブラケットとの間の回動角度の変化に伴ってギア部の歯合状態が変化した状態を示した図である。
【図１３】本発明による回転式ドア用ドアヒンジの高さ調節装置を回転式ドアに取り付けた状態を示した図である。
【図１４】本発明による回転式ドア用ドアヒンジの高さ調節装置の望ましい一実施例を示した図である。
【図１５】図１４に示された回転式ドア用ドアヒンジの高さ調節装置の一実施例の一部分解斜視図である。
【図１６】図１５から高さ調節薄板の枚数を１枚増加させた状態を示した図である。
【図１７】回転式ドアが取り付けられた状態の平面図及びドアの開放作動状態を示した断面図である。
【図１８】回転式ドアが取り付けられた状態の平面図及びドアの開放作動状態を示した断面図である。
【図１９】本発明の望ましい一実施例によるドアヒンジの高さ調節装置が取り付けられた状態の回転式ドアの作動状態を示した断面図である。
【図２０】図１９の要部Ａ部分の拡大図である。
【図２１】本発明の望ましい一実施例によるドアヒンジの高さ調節装置を使用して回転式ドアを構成するドアの高さを調節する状態を示した図である。
【図２２】本発明の望ましい一実施例によるドアヒンジの高さ調節装置を使用して回転式ドアを構成するドアの高さを調節する状態を示した図である。
【図２３】本発明の望ましい一実施例によるドアヒンジの高さ調節装置を使用して回転式ドアを構成するドアの高さを調節する状態を示した図である。
【図２４】本発明の望ましい一実施例によるドアヒンジの高さ調節装置を使用して回転式ドアを構成するドアの高さを調節する状態を示した図である。
【図２５】本発明の望ましい一実施例によるドアヒンジの高さ調節装置を使用して回転式ドアを構成するドアの高さを調節する状態を示した図である。
【図２６】本発明の望ましい一実施例によるドアヒンジの高さ調節装置を使用して回転式ドアを構成するドアの高さを調節する状態を示した図である。
【図２７】本発明の望ましい一実施例によるドアヒンジの高さ調節装置を使用して回転式ドアを構成するドアの高さを調節する状態を示した図である。
【図２８】本発明の望ましい一実施例によるドアヒンジの高さ調節装置を使用して回転式ドアを構成するドアの高さを調節する状態を示した図である。
【図１】
0006401385.tif 000002
【図２】
0006401385.tif 000003
【図３】
0006401385.tif 000004
【図４】
0006401385.tif 000005
【図５】
0006401385.tif 000006
【図６】
0006401385.tif 000007
【図７】
0006401385.tif 000008
【図８】
0006401385.tif 000009
【図９】
0006401385.tif 000010
【図１０】
0006401385.tif 000011
【図１１】
0006401385.tif 000012
【図１２】
0006401385.tif 000013
【図１３】
0006401385.tif 000014
【図１４】
0006401385.tif 000015
【図１５】
0006401385.tif 000016
【図１６】
0006401385.tif 000017
【図１７】
0006401385.tif 000018
【図１８】
0006401385.tif 000019
【図１９】
0006401385.tif 000020
【図２０】
0006401385.tif 000021
【図２１】
0006401385.tif 000022
【図２２】
0006401385.tif 000023
【図２３】
0006401385.tif 000024
【図２４】
0006401385.tif 000025
【図２５】
0006401385.tif 000026
【図２６】
0006401385.tif 000027
【図２７】
0006401385.tif 000028
【図２８】
0006401385.tif 000029